(57)【要約】【課題】  従来技術は、育成ケース内の情報が同一家屋内の人や外出先に連結するものであり、ＡＩ制御装置にて適正対処できるものではない。また、養殖魚に特有の臭い等を除去するものであり、これもまたＡＩ制御装置にて適正対処できるものではない。【解決手段】  水槽内において、水あるいは塩水の少なくとも水温・水質・水位をチェックする各センサと、適正な範囲内であるかどうかをチェックする数値処理装置と、各種モバイル機器に水槽内の情報を送信する送信装置と、送信された水槽内の情報に対して、必要な対応を各種モバイル機器から送信し、その情報を受信する受信装置と、各情報に適正に対処するｃｘＡＩ制御装置とからなることを特徴とする。【選択図】図１
2019022475.tif 000002
【特許請求の範囲】
【請求項１】
水槽内において、水あるいは塩水の少なくとも水温・水質・水位をチェックする各センサと、適正な範囲内であるかどうかをチェックするＡＩ数値処理装置と、各種モバイル機器に水槽内の情報を送信する送信装置と、送信された水槽内の情報に対して、必要な対応を各種モバイル機器から送信し、その情報を受信する受信装置と、各情報に適正に対処するＡＩ制御装置とからなることを特徴とする水槽情報管理対処システム。
【請求項２】
各種モバイル機器に送信された水槽内の情報を受信者が確認すると共に、必要な対応を送信すべく、送信ボタンを押して、受信装置に送ることを特徴とする請求項１記載の水槽情報管理対処システム。
【請求項３】
各種モバイル機器に送信された水槽内の情報を、同時にＡＩ制御装置に送信し、適正に対処したことを再度各種モバイル機器に送信することを特徴とする請求項１記載の水槽情報管理対処システム。
【請求項４】
モバイル機器が、スマートフォンあるいはタブレットであることを特徴とする請求項１、２又は３記載の水槽情報管理対処システム。
【発明の詳細な説明】
【技術分野】
【０００１】  本発明は、主に水族館の水槽や業務用（店舗等）の水槽をＡＩ制御装置により、適正な状態にメンテナンスできる水槽情報管理対処システムに関するものである。
【背景技術】
【０００２】  従来の技術として、育成ケースＶと、その育成ケースＶ内の環境変化に応じて変化する特定の管理情報を検出し得る少なくとも１つのセンサＳｔ、Ｓｄ、Ｓｌと、このセンサの検出情報を受けて、これをインターネット等の通信手段Ｉを介して、育成ケースＶから離れた場所にある端末情報機器ＰＣ、ＰＴ、ＰＤＡに送信し得る情報処理装置ＰＣとを備え、前記端末情報機器ＰＣ、ＰＴ、ＰＤＡは、前記情報処理装置ＰＣから送信された前記検出情報を閲覧可能である生物育成管理支援システムがある。（特許文献１参照）【０００３】  また、別の従来技術として、魚介類を飼育する閉鎖循環式養殖装置の飼育槽から抜き出した、残餌や糞及び飼育魚が排泄したアンモニア及び有機性排泄物などを含む飼育水から、懸濁物質や排泄物質を分離または分解処理する装置として、膜分離活性汚泥処理装置を備えた閉鎖循環式養殖装置を使用して養殖魚を飼育するにあたり、膜分離活性汚泥処理装置の曝気槽に粒子状活性炭を添加して運転することを特徴とする魚介類の飼育方法がある。（特許文献２参照）
【先行技術文献】
【特許文献】
【０００４】
【特許文献１】特開２００５−８０５９２号公報
【特許文献２】特開２０１１−１３０６８５号公報
【発明の概要】
【発明が解決しようとする課題】
【０００５】  上記前者は、育成ケース内の情報が同一家屋内の人や外出先に連結するものであり、本発明のようなＡＩ制御装置にて適正対処できるものではない。【０００６】  また、上記後者においても、養殖魚に特有の臭い等を除去するものであり、これもまた本発明のようなＡＩ制御装置にて適正対処できるものではない。
【課題を解決するための手段】
【０００７】  本発明は上記目的を達成するために、水槽内において、水あるいは塩水の少なくとも水温・水質・水位をチェックする各センサと、適正な範囲内であるかどうかをチェックするＡＩ数値処理装置と、各種モバイル機器に情報を送信する送信装置と、送信された情報に対して、必要な対応を各種モバイル機器から送信し、その情報を受信する受信装置と、各情報に適正に対処するＡＩ制御装置とからなること。各種モバイル機器に送信された情報を受信者が確認すると共に、必要な対応を送信すべく、送信ボタンを押して、受信装置に送ること。各種モバイル機器に送信された情報を、同時にＡＩ制御装置に送信し、適正に対処したことを再度各種モバイル機器に送信すること。モバイル機器が、スマートフォンあるいはタブレットであることを特徴とする。
【図面の簡単な説明】
【０００８】
【図１】  本発明の一実施例を示す水槽情報管理対処システムの構成図。
【図２】  本発明の一実施例を示す水槽情報管理対処システムのフローチャート図。
【発明の効果】
【０００９】１、ＡＩ数値処理装置とＡＩ制御装置により、生体（魚等）の人工飼育下の水槽をＡＩでモニタリングし、各種モバイル（スマートフォン等）からリモートでリアルタイムにコントロールできる。
２、このＡＩ制御装置は、ＡＩ数値処理装置にて得た各センサや各機器のトラブルを分析し、補修信号を発信し、各センサや各機器を修理できるものである。
３、各センサや各機器が修理できない場合は、予備の設備を作動させることができるものである。
４、ＡＩ数値処理装置により、生体数や魚・貝・サンゴ・水草・藻類等の種類により、適正な数値をデータ化でき、より適正な環境を造り出すことができる。
５、スマートフォン等で、リアルタイムに水槽の現状を把握できると共に、異常時において、スマートフォン等を見られない環境にいることも考えられ、指示なしにＡＩ制御装置にて補修等を行うものである。
６、ＡＩ機器を、使用することにより、安全・安心して管理・運営することができる。
【発明を実施するための形態】
【００１０】  まず、本発明の水槽情報管理対応システムの構成について説明する。
１は、水族館あるいは業務用の水槽である。
２は、水温センサで、デジタル表示するものである。
３は、水質センサで、水質の汚れ等をチェックするものである。
４は、水位センサで、水の上面位置をチェックするものである。
５は、ＡＩ数値処理装置で、上記各センサ２・３・４の適正な範囲の数値データと各センサ２・３・４の現状データを比較し、処理するものである。
６は、送信装置で、各種モバイルＭ（スマートフォン等）に対して、水槽内の情報（データ）を送信するものである。
７は、送信された情報に対して、必要な対応をスマートフォン等から送信し、その情報（データ）を受信する受信装置である。
８は、各情報（データ）により適正に対処（不具合を直す等）するＡＩ機能を設けたＡＩ制御装置である。
９は、水温センサ２に連設してなるヒーターである。
１０は、水質センサ３に連設してなる水質コントロール機である。
１１は、水位センサ４に連設してなるポンプである。
【００１１】  つぎに、水槽情報管理対処システムの作動の流れを説明する。
（１）、水槽１内に設置したヒーター９の状態を水温センサ２にて検出し、水質コントロール機１０の状態を水質センサ３にて検出し、ポンプ１１の状態を水位センサ４にて検出する。
（２）、各センサのデータはＡＩ数値処理装置５により管理され、数値範囲内であるかどうかをチェック（魚・貝・サンゴ・水草・藻類等の種類や生体数によって、適正な塩分濃度・酸素濃度・水温・ＣＯ２濃度・光量・アンモニア量・臭気・生体の動き等）し、異常でなければ、常時同様にチェックを行うもので、異常をチェックした時、直接ＡＩ制御装置８に送信装置６にてデータを送信し、ＡＩにて適切（異常の原因等に対して、正常に戻す）に対処する。
（３）、同時に、送信装置６にて水槽内の情報（データ）を各種モバイルＭに送信し、その情報（データ）を見ることができ、現時点での問題がどうなっているかを把握できる。
この時、受信者が必要に応じて、ＡＩ制御装置８に対応を指示すべく、受信装置７へ送信することができる。
上記のような流れで作動するものですが、より具体的にはＡＩ制御装置８は、各異常に対応すべく、ヒーター９・水質コントロール機１０・ポンプ１１の故障や各センサ２・３・４の問題点等を瞬時に把握し、ＡＩにて修理信号を送り、故障を直すものである。
なお、故障を直せないことも考えられ、予備の機器やセンサを設け、作動させることもできるものである。
【００１２】  上記実施例において、センサは、上記センサに限定するものではなく、酸素センサ・ＣＯ２センサ・光センサ等、必要に応じて設置すればよい。
また、各センサに付設する設備（エアレーション・ＣＯ２発生装置・ＬＥＤライト等）は特に限定するものではない。
さらに、各種モバイルも、スマートフォン以外に、パソコン等でもよい。
【符号の説明】
【００１３】１―――水槽
２―――水温センサ
３―――水質センサ
４―――水位センサ
５―――ＡＩ数値処理装置
６―――送信装置
７―――受信装置
８―――ＡＩ制御装置
９―――ヒーター
１０――水質コントロール機
１１――ポンプ
Ｍ―――各種モバイル
【図１】
2019022475.tif 000003
【図２】
2019022475.tif 000004